(57)【要約】【課題】  間隙部材によって仕切られたセル内の表示濃度を均一に表示することを目的とする。【解決手段】  同一セル内で複数行にわたって同濃度の画像を表示する場合に、１行目と２行目の書込パラメータ（印加電圧の大きさ）を変化させて黒濃度を評価した結果、２行目の濃度は１行目のパルス幅を小さくするに従って上昇する。すなわち１行目と２行目を同一の書込パラメータ（パルス幅５ｍｓ）で書き込んだ場合には、濃度差が０．４以上あったが、１行目のパルス幅を短くするに従って濃度差が小さくなるので、１行目の駆動パルス幅を２行目よりも小さくする。【選択図】        図５
2007057793.tif 000002
【特許請求の範囲】
【請求項１】
少なくとも透光性を有する表示基板と、前記表示基板と間隙をもって対向する背面基板と、予め定めた所定方向に沿って並置された複数の第１電極と前記第１電極と直交する方向に沿って対向して配置された第２電極との間に画像に応じた電圧が印加されることにより、前記表示基板と前記背面基板との基板間に形成された電界に応じて移動するように当該基板間に封入された色と帯電極性が異なる少なくとも２種類以上の粒子を含む粒子群と、前記基板間を、前記第１電極及び前記第２電極を複数含むセルに仕切る間隙部材と、を備え、１行毎に順番に単純マトリクス駆動で前記第１電極及び前記第２電極に電圧を印加して、前記粒子群の移動によって画像を表示する画像表示媒体の駆動装置であって、
前記画像表示媒体に表示すべき画像に応じて前記第１電極及び前記第２電極に電圧を印加する印加手段と、
前記セル内で同濃度の画像を表示する際に、始めに画像を表示する行に対応する前記第１電極及び前記第２電極に印加する電圧が、後に画像を表示する行に対応する前記第１電極及び前記第２電極に印加する電圧よりも小さい電圧となるように、前記印加手段を制御する制御手段と、
を備えた画像表示媒体の駆動装置。
【請求項２】
前記制御手段は、前記第１電極及び前記第２電極に印加する電圧の大きさ、パルス幅、パルスの付与回数、及びパルス形状の少なくとも１つを調整するように前記印加手段を制御することを特徴とする請求項１に記載の画像表示媒体の駆動装置。
【請求項３】
少なくとも透光性を有する表示基板と、前記表示基板と間隙をもって対向する背面基板と、予め定めた所定方向に沿って並置された複数の第１電極と前記第１電極と直交する方向に沿って対向して配置された第２電極との間に画像に応じた電圧が印加されることにより、前記表示基板と前記背面基板との基板間に形成された電界に応じて移動するように当該基板間に封入された色と帯電極性が異なる少なくとも２種類以上の粒子を含む粒子群と、前記基板間を、前記第１電極及び前記第２電極を複数含むセルに仕切る間隙部材と、を備え、１行毎に順番に単純マトリクス駆動で前記第１電極及び前記第２電極に電圧を印加して、前記粒子群の移動によって画像を表示する画像表示媒体の駆動方法であって、
前記画像表示媒体に表示すべき画像に応じて前記第１電極及び前記第２電極に電圧を印加する印加ステップと、
前記セル内で同濃度の画像を表示する際に、始めに画像を表示する行に対応する前記第１電極及び前記第２電極に印加する電圧が、後に画像を表示する行に対応する前記第１電極及び前記第２電極に印加する電圧よりも小さい電圧となるように、前記印加ステップを制御する制御ステップと、
を有する画像表示媒体の駆動方法。
【請求項４】
前記制御ステップは、前記第１電極及び前記第２電極に印加する電圧の大きさ、パルス幅、パルスの付与回数、及びパルス形状の少なくとも１つを調整するように前記印加ステップを制御することを特徴とする請求項３に記載の画像表示媒体の駆動方法。
【発明の詳細な説明】
【技術分野】
【０００１】
本発明は、画像表示媒体の駆動装置及び駆動方法にかかり、特に、電界によって着色粒子を移動して繰り返し書換え表示を行う画像表示媒体の駆動装置及び駆動方法に関する。
【背景技術】
【０００２】
従来、メモリー性を有し繰り返し書換え可能な画像表示媒体として、着色粒子を用いた画像表示媒体が知られている。このような画像表示媒体は、例えば図７に示すように、一対の基板と、印加された電界により基板間を移動可能に基板間に封入されると共に、色及び帯電特性が異なる複数種類の粒子群と、を含んで構成される。また、基板間には、粒子が基板内の一部の領域に偏るのを防ぐため等の理由により、基板間を複数のセルで仕切るための間隙部材が設けられる。
【０００３】
また、このような画像表示媒体の駆動方法としては、例えば、特許文献１に記載の技術が提案されている。特許文献１に記載の技術では、パッシブマトリクス（単純マトリクス）駆動で画像表示媒体を駆動して画像を切り替えるときに、基板の少なくとも一方に、移動すべき粒子を付着している基板に引き寄せるように電圧を印加した後、移動すべき粒子を付着している基板とは反対側の基板に移動させるように電圧パルスを印加することが提案されている。
【特許文献１】特開２００２−８２３６１号公報
【発明の開示】
【発明が解決しようとする課題】
【０００４】
しかしながら、特許文献１に記載のような画像表示媒体では、上述したように、間隙部材によって、基板間が複数のセルで仕切られる構造となっており、図７（Ａ）、（Ｂ）に示すように、セル内に複数の電極がある場合（図７ではセル内に２行×４列の電極が存在する場合を示す）には、例えば白の背景画像と異なる黒のベタ画像を表示すると、１行目の黒表示時に通常以上の黒粒子が移動してしまい、２行目の黒表示時に十分な黒粒子を表示に寄与できず、白粒子が表示面側に残るため黒濃度が劣化して十分な濃度を表示することができない、という問題がある。
【０００５】
本発明は、上記問題を解決すべく成されたもので、間隙部材によって仕切られたセル内の表示濃度を均一に表示することを目的とする。
【課題を解決するための手段】
【０００６】
上記目的を達成するために請求項１に記載の画像表示媒体の駆動装置は、少なくとも透光性を有する表示基板と、前記表示基板と間隙をもって対向する背面基板と、予め定めた所定方向に沿って並置された複数の第１電極と前記第１電極と直交する方向に沿って対向して配置された第２電極との間に画像に応じた電圧が印加されることにより、前記表示基板と前記背面基板との基板間に形成された電界に応じて移動するように当該基板間に封入された色と帯電極性が異なる少なくとも２種類以上の粒子を含む粒子群と、前記基板間を、前記第１電極及び前記第２電極を複数含むセルに仕切る間隙部材と、を備え、１行毎に順番に単純マトリクス駆動で前記第１電極及び前記第２電極に電圧を印加して、前記粒子群の移動によって画像を表示する画像表示媒体の駆動装置であって、前記画像表示媒体に表示すべき画像に応じて前記第１電極及び前記第２電極に電圧を印加する印加手段と、前記セル内で同濃度の画像を表示する際に、始めに画像を表示する行に対応する前記第１電極及び前記第２電極に印加する電圧が、後に画像を表示する行に対応する前記第１電極及び前記第２電極に印加する電圧よりも小さい電圧となるように、前記印加手段を制御する制御手段と、を備えることを特徴としている。
【０００７】
請求項１に記載の発明によれば、画像表示媒体は、第１電極及び第２電極との間に電界を付与することによって、表示基板と背面基板の基板間に封入された粒子群が移動して画像が表示される。
【０００８】
印加手段では、画像表示媒体に表示すべき画像に応じて電圧が第１電極及び第２電極に印加される。これによって、基板間に電界が付与され第１の電極と第２の電極が交差する部分が画素として画像を表示することができる。
【０００９】
しかしながら、間隙部材によってセルに仕切られており、当該セル内に複数の電極があるため、上述したように、パッシブマトリクス駆動で画像表示媒体を駆動して、１行目に粒子を移動させるための電圧を印加すると通常以上の粒子が移動してしまい、２行目の表示時に十分な粒子を表示に寄与できなくなってしまう。
【００１０】
そこで、請求項１に記載の技術では、制御手段によって、セル内で同濃度の画像を表示する際に、始めに画像を表示する行に対応する第１電極及び第２電極に印加する電圧が、後に画像を表示する行に対応する第１電極及び第２電極に印加する電圧よりも小さい電圧となるように印加手段が制御される。
【００１１】
これによって、始めに画像を表示する行において通常以上、粒子が移動してしまうのを抑制することができ、同一セル内の画像濃度を均一に表示することができる。
【００１２】
例えば、制御手段は、請求項２に記載の発明のように、第１電極及び第２電極に印加する電圧の大きさ、パルス幅、パルスの付与回数、及びパルス形状の少なくとも１つを調整することによって、始めに画像を表示する行に印加する電圧を、後に画像を表示する行に印加する電圧よりも小さい電圧となるようにすることが可能となる。
【００１３】
請求項３に記載の画像表示媒体の駆動方法は、少なくとも透光性を有する表示基板と、前記表示基板と間隙をもって対向する背面基板と、予め定めた所定方向に沿って並置された複数の第１電極と前記第１電極と直交する方向に沿って対向して配置された第２電極との間に画像に応じた電圧が印加されることにより、前記表示基板と前記背面基板との基板間に形成された電界に応じて移動するように当該基板間に封入された色と帯電極性が異なる少なくとも２種類以上の粒子を含む粒子群と、前記基板間を、前記第１電極及び前記第２電極を複数含むセルに仕切る間隙部材と、を備え、１行毎に順番に単純マトリクス駆動で前記第１電極及び前記第２電極に電圧を印加して、前記粒子群の移動によって画像を表示する画像表示媒体の駆動方法であって、前記画像表示媒体に表示すべき画像に応じて前記第１電極及び前記第２電極に電圧を印加する印加ステップと、前記セル内で同濃度の画像を表示する際に、始めに画像を表示する行に対応する前記第１電極及び前記第２電極に印加する電圧が、後に画像を表示する行に対応する前記第１電極及び前記第２電極に印加する電圧よりも小さい電圧となるように、前記印加ステップを制御する制御ステップと、を有することを特徴としている。
【００１４】
請求項３に記載の発明によれば、画像表示媒体は、第１電極及び第２電極との間に電界を付与することによって、表示基板と背面基板の基板間に封入された粒子群が移動して画像が表示される。
【００１５】
印加ステップでは、画像表示媒体に表示すべき画像に応じて電圧を第１電極及び第２電極に印加する。これによって、基板間に電界が付与され第１の電極と第２の電極が交差する部分が画素として画像を表示することができる。
【００１６】
しかしながら、間隙部材によってセルに仕切られており、当該セル内に複数の電極があるため、上述したように、パッシブマトリクス駆動で画像表示媒体を駆動して、１行目に粒子を移動させるための電圧を印加すると通常以上の粒子が移動してしまい、２行目の表示時に十分な粒子を表示に寄与できなくなってしまう。
【００１７】
そこで、請求項３に記載の技術では、制御ステップで、セル内で同濃度の画像を表示する際に、始めに画像を表示する行に対応する第１電極及び第２電極に印加する電圧が、後に画像を表示する行に対応する第１電極及び第２電極に印加する電圧よりも小さい電圧となるように印加ステップを制御する。
【００１８】
このように画像表示媒体を駆動することによって、始めに画像を表示する行において通常以上、粒子が移動してしまうのを抑制することができ、同一セル内の画像濃度を均一に表示することができる。
【００１９】
例えば、制御ステップは、請求項４に記載の発明のように、第１電極及び第２電極に印加する電圧の大きさ、パルス幅、パルスの付与回数、及びパルス形状の少なくとも１つを調整することによって、始めに画像を表示する行に印加する電圧を、後に画像を表示する行に印加する電圧よりも小さい電圧となるようにすることが可能となる。
【発明の効果】
【００２０】
以上説明したように本発明によれば、間隙部材によって仕切られたセル内の表示濃度を均一に表示することができる、という効果がある。
【発明を実施するための最良の形態】
【００２１】
以下、図面を参照して本発明の実施の形態の一例を詳細に説明する。
【００２２】
図１は、本発明の実施の形態に係わる画像表示媒体１０の一部断面図である。図１に示すように、画像表示媒体１０は、透明な基板１２上にライン状の複数の透明の走査電極１４、透明の絶縁層１６が形成された表示基板１８と、走査電極１４と直交するように対向して配置されたライン状のデータ電極２０、着色層２２、及び透明の絶縁層２４が基板２６上に形成された背面基板２８と、基板間に封入された正に帯電された黒色粒子３０及び負に帯電された白色粒子３２と、基板間を図２に示すように複数のセル３４に仕切る間隙部材３６と、で構成されている。
【００２３】
なお、図１に示す画像表示媒体１０は、図２のＡ−Ａ断面図である。また、図２では、間隙部材３６を明確に図示するために黒で示したが、粒子で形成される画像が観察者に対し不自然に感じさせなければどんな色でもかまわない。実際は透明な部材で構成される。
【００２４】
図２に示すように、複数のライン状の走査電極１４は、図２において上下方向（走査方向Ｓ）に並置されると共に、図２において左右方向に並置された複数のライン状のデータ電極２０と直交するように対峙して配置される。各走査電極１４と各データ電極２０との交差位置が画素を構成する。なお、各電極は、例えばＩＴＯ（Ｉｎｄｉｕｍ  Ｔｉｎ  Ｏｘｉｄｅ）電極で構成される。
【００２５】
本実施の形態では、間隙部材３６は、２つの走査電極１４及び複数のデータ電極２０を含み、走査方向Ｓと直交する方向を長手方向とする長方形状のセル３４が複数個形成されるようなマス目状の形状とされている。図２では、一例として各セル３４内に走査電極１４が２本、データ電極２０が４本ずつ配置された構成、すなわち１セル当たり２×４画素の構成としているが、これに限られるものではない。
【００２６】
図２においては、説明の簡略化のために８行×８列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極１４が基板１２上に形成され、ｎ本のデータ電極２０が基板２６上に形成される。
【００２７】
また、本実施の形態では、表示基板側に走査電極１４が、背面基板側にデータ電極２０が設けられた構成としているが、これとは逆に、表示基板側にデータ電極２０が、背面基板側に走査電極１４が形成された構成としてもよい。
【００２８】
また、走査電極１４及びデータ電極２０は、表示基板１８と背面基板２８とが対向する側の面ではなく、これと反対側の面にそれぞれ形成されていてもよく、表示基板１８及び背面基板２８の外側に別個独立にそれぞれ配置されていてもよい。また、電極を画像表示媒体と別個独立に設ける場合には、基板を誘電性を有する部材で構成することにより、基板間に電界を形成させることができる。
【００２９】
また、本実施形態では、黒色粒子３０が正に帯電し、白色粒子３２が負に帯電された構成としているが、黒色粒子３０が負に帯電し、白色粒子３２が正に帯電された構成でもよい。各粒子は、例えば絶縁性粒子や導電性粒子等を用いることができる。
【００３０】
なお、画像表示媒体１０を構成する各部材は、例えば特開２００１−３１２２５号公報に記載されたものを用いることができる。
【００３１】
このような画像表示媒体１０では、少なくとも粒子を移動させることができる電位差を基板間に発生させるのに必要な電圧であって、必要な濃度が確保できる所定電圧が走査電極１４とデータ電極２０との電極間に印加されると、その位置の黒色粒子３０及び白色粒子３２が基板間を移動する。例えば、データ電極２０に対して走査電極１４の電位が正となる所定電圧がその電極間に印加された場合には、表示基板１８側の正に帯電した黒色粒子３０は背面基板２８側へ移動すると共に背面基板２８側の負に帯電した白色粒子３２は表示基板１８側へ移動し、白表示される。
【００３２】
一方、データ電極２０に対して走査電極１４の電位が負となる所定電圧がその電極間に印加された場合には、表示基板１８側の負に帯電した白色粒子３２は背面基板２８側へ移動すると共に背面基板２８側の正に帯電した黒色粒子３０は表示基板１８側へ移動し、黒表示される。
【００３３】
従って、粒子を移動させるべき画素に対応した位置のデータ電極２０と走査電極１４との間に正又は負の所定電圧を印加することにより、画像に応じて粒子が移動し、画像を表示させることができる。なお、電圧の印加が停止された後も、ファンデルワース力や鏡像力等により黒色粒子３０又は白色粒子３２は表示基板１８又は背面基板２８に付着したままとなり、画像表示は維持される。
【００３４】
図３には、画像データに基づいて、画像表示媒体１０に画像を表示するための駆動装置４０の概略構成を示した。
【００３５】
駆動装置４０は、走査電極駆動回路４２、データ電極駆動回路４４、電源回路４６、４８、及び制御装置５０を含んで構成されている。
【００３６】
走査電極駆動回路４２は、各走査電極１４とそれぞれ接続され、電源回路４６から供給される各種の電圧を、制御装置５０の指示に従って各走査電極１４に各々印加する。
【００３７】
データ電極駆動回路４４は、各データ電極２０とそれぞれ接続され、電源回路４８から供給される各種の電圧を、制御装置５０の指示に従って各データ電極２０に各々印加する。
【００３８】
制御装置５０には、画像表示媒体１０に表示させるべき画像に応じた画像データが入力される。制御装置５０は、入力された画像データに基づいて、走査対象の走査電極１４の行番号を指定するための行番号指定信号及び印加電圧の種類を指定するための走査電極用電圧指定信号を走査電極駆動回路４２に出力すると共に、その行番号指定信号により指定された走査電極１４に対応するライン画像に基づいて所定の電圧を印加すべきデータ電極２０の列番号を指定するための列番号指定信号及び前記所定の電圧の種類を指定するためのデータ電極用電圧指定信号を、データ電極駆動回路４４に出力し、画像表示媒体１０をパッシブマトリクス駆動で駆動する。
【００３９】
走査電極駆動回路４２は、制御装置５０から行電極指定信号によって指定された行の走査電極１４に対して、走査電極用電圧指定信号で指定された種類の電圧を印加すると共に、行番号指定信号によって指定された走査電極１４以外の走査電極１４に対してＯＦＦ電圧を印加する。
【００４０】
データ電極駆動回路４４は、制御装置５０から列番号指定信号によって指定された列のデータ電極２０に対して、データ電極用電圧指定信号で指定された種類の電圧を印加すると共に、列番号指定信号によって指定されたデータ電極２０以外のデータ電極２０に対してＯＦＦ電圧を印加する。
【００４１】
ところで、本実施の形態に係わる画像表示媒体１０は、上述したように、１つのセル内に２つの走査電極と４つのデータ電極を備えており、パッシブマトリクス駆動で駆動するが、１つのセル内でベタ画像を表示する場合には、始めに印加される走査電極１４側に、粒子が移動してしまい、次に印加する走査電極１４では十分な粒子を表示に寄与することができない。
【００４２】
そこで、このように同一セル内で複数行にわたって同濃度の画像を表示する場合に、同一セル内の濃度差を改善するための実験を行ったのでその結果を説明する。
【００４３】
本実験では、使用する粒子（白色粒子３２及び黒色粒子３０）の基礎特性として、平均径１３μｍ、閾値電圧を±９５Ｖ（基板間距離０．２ｍｍ時）となるものを使用した。
【００４４】
また、テストピースとして、幅０．５ｍｍ、ピッチ０．５０８ｍｍの短冊状の電極をＩＴＯでガラスに形成し、走査電極１４が上側（表面側）となるうようにして、パッシブマトリクス駆動で表示できるように電極を交差して対向配置した。
【００４５】
そして、間隙部材３６として、リブにより０．２ｍｍのギャップ（基板間距離）を保持して、粒子を封入し上限基板を接着した。
【００４６】
まず始めに、全面に±２５０ｖを付与して画像表示媒体１０（テストピース）を白表示するように駆動して初期化を行う。
【００４７】
次に、１行目は２行目よりも電圧付与時間を小さくして、以下の書込パラメータで黒表示した。
【００４８】
２行目の書込パラメータは、パルス幅５ｍｓで２パルス（パルス間は５ｍｓ）とし、付与電圧を１９０Ｖ（８５＋８５Ｖ）とした。
【００４９】
１行目の書込パラメータは、パルス幅を３、４、５ｍｓで２パルス（パルス間は５ｍｓ）とし、付与電圧を１９０Ｖ（８５＋８５Ｖ）とした。
【００５０】
そして、表示濃度を、図４に示すように、電極長手方向で平均化して電極幅方向で８ビット階調のプロファイルを測定し、そのプロファイルから黒濃度を評価した。
【００５１】
図５（Ａ）は、同一セル内で複数行にわたって同濃度の画像を表示する場合に、１行目の書込パラメータを変化させて２行目の黒濃度を評価した結果を示すグラフである。
【００５２】
図５（Ａ）に示すように、２行目の濃度は１行目のパルス幅を小さくするに従って上昇していることが分かる。なお、図５（Ａ）中の「□」は１行目が白の時の黒濃度を示す。
【００５３】
図５（Ｂ）は、１行目と２行目の濃度差をパルス幅でプロットした結果を示すグラフである。
【００５４】
図５（Ｂ）に示すように、改善前すなわち１行目と２行目を同一の書込パラメータ（パルス幅５ｍｓ）で書き込んだ場合には、濃度差が０．４以上あったが、１行目のパルス幅を短くするに従って濃度差が小さくなることが分かる。なお、パルス幅３ｍｓでは濃度が逆転（マイナス側）へ移行しているが、濃度差自体は小さくなっており問題ない。
【００５５】
このように、１行目の駆動パルス幅を２行目よりも小さくすることにより、１行目と２行目の濃度差を小さくすることができた。
【００５６】
すなわち、本実施の形態では、同一セル内で同濃度の画像を表示する場合に、制御手段が、同一セル内で始めに印加する走査電極１４及びデータ電極２０の電圧が後から走査電極１４及びデータ電極２０に印加する電圧よりも小さい電圧となるように、走査電極駆動回路４２及びデータ電極駆動回路４４を制御する。このように制御装置５０が制御することによって、１つのセル内での表示濃度を均一する。
【００５７】
続いて、制御装置５０で行われる処理について詳細に説明する。図６は、本発明の実施の形態に係わる画像表示媒体１０の制御装置５０で行われる処理の流れの一例を示すフローチャートである。
【００５８】
画像データが制御装置５０に入力されると、ステップ１００では、同一セル内で複数行にわたって同濃度の画像表示であるか否かが判定される。すなわち、予め設定されているセルの配置と制御装置５０に入力された画像データとに基づいて、同一セル内で複数行（複数の走査電極１４に対応する行）が同一濃度の表示であるか否かを判定することによってなされ、該判定が肯定された場合にはステップ１０２へ移行し、否定された場合にはステップ１０４へ移行する。
【００５９】
ステップ１０２では、同一セル内で始めに書き込む行に対応する走査電極１４及びデータ電極２０への印加電圧を後に書き込む行に対応する走査電極１４及びデータ電極２０への印加電圧よりも所定量低下する設定が走査電極駆動回路４２及びデータ電極駆動回路４４になされ、ステップ１０４へ移行する。
【００６０】
ステップ１０４では、画像データに応じて各電極に電圧が印加される。すなわち、入力された画像データに基づいて、走査対象の走査電極１４の行番号を指定するための行番号指定信号及び印加電圧の種類を指定するための走査電極用電圧指定信号を走査電極駆動回路４２に出力すると共に、その行番号指定信号により指定された走査電極１４に対応するライン画像に基づいて所定の電圧を印加すべきデータ電極２０の列番号を指定するための列番号指定信号及び前記所定の電圧の種類を指定するためのデータ電極用電圧指定信号を、データ電極駆動回路４４に出力する。これによって、走査電極駆動回路４２及びデータ電極駆動回路４４によって各電極に電圧が印加されて、画像表示媒体１０に画像が表示される。そして、この時、同一セル内で複数行にわたって同濃度の画像を表示する場合には、ステップ１０２において、セル内で始めに書き込む行に対応する走査電極１４及びデータ電極２０への印加電圧を後に書き込む行に対応する走査電極１４及びデータ電極２０への印加電圧よりも所定量低下する設定がなされるので、同一セル内で複数行にわたって同濃度の画像を表示した場合に、同一セル内の濃度を均一にすることができる。
【００６１】
なお、上記の実施の形態では、パルス幅を調整することによって、同一セル内で始めに印加する走査電極１４の電圧が後から走査電極１４に印加する電圧よりも小さい電圧となるようにしたが、これに限るものではなく、例えば、印加する電圧の大きさ、パルスの付与回数、パルス形状などを調整するようにしてもよい。また、電圧の大きさ、パルス幅、パルスの付与回数、及びパルス形状の少なくとも１つを調整するようにしてもよい。
【００６２】
また、上記の実施の形態では、１つのセルを２行×４列で構成して、１行目に印加する電圧を２行目に印加する電圧よりも所定量小さい電圧となるようにしたが、１つのセルを３行以上で構成する場合には、始めに電圧を印加する行に行くに従って段階的に印加する電圧を小さくすればよい。すなわち、始めの行に対応する電極から後の行に行くに従って段階的に電圧が上がるようにすればよい。
【図面の簡単な説明】
【００６３】
【図１】本発明の実施の形態に係わる画像表示媒体の一部断面図である。
【図２】電極の配置及び間隙部材を示す図である。
【図３】本発明の実施の形態に係わる画像表示媒体の駆動装置の構成を示すブロック図である。
【図４】同一セル内で複数行にわたって同濃度の画像を表示する場合に、同一セル内の濃度差を改善するための実験を説明するための図である。
【図５】（Ａ）は同一セル内で複数行にわたって同濃度の画像を表示する場合に、１行目の書込パラメータを変化させて２行目の黒濃度を評価した結果を示すグラフであり、（Ｂ）は１行目と２行目の濃度差をパルス幅でプロットした結果を示すグラフである。
【図６】本発明の実施の形態に係わる画像表示媒体の制御装置で行われる処理の流れの一例を示すフローチャートである。
【図７】従来の技術の問題点を説明するための図であり、（Ａ）は画像表示媒体の平面図であり、（Ｂ）は（Ａ）のＸ−Ｘ断面図である。
【符号の説明】
【００６４】
１０    画像表示媒体
１４    走査電極
１８    表示基板
２０    データ電極
２８    背面基板
３０    黒色粒子
３２    白色粒子
３６    間隙部材
４０    駆動装置
４２    走査電極駆動回路
４４    データ電極駆動回路
５０    制御装置
【図１】
2007057793.tif 000003
【図２】
2007057793.tif 000004
【図３】
2007057793.tif 000005
【図４】
2007057793.tif 000006
【図５】
2007057793.tif 000007
【図６】
2007057793.tif 000008
【図７】
2007057793.tif 000009